(57)【要約】    【課題】  原稿を読取部に搬送した時に、原稿に付着したゴミや埃等によって、読取部と対向するガイド部材の面に傷を付けることを防止し、原稿の自重を本体部側に作用させて、原稿を読取面に当接させ、適正な原稿の読み取りを行なうことができることを課題とする。    【解決手段】  原稿Ｐに記載されたデータを読み取る読取手段１１０を備えた本体部１０と、原稿Ｐを読取手段１１０の読取面に搬送する搬送手段３０とを有し、本体部１０と対向する位置には、原稿Ｐの浮き上がりを受けるガイド部材２１０が設けられ、ガイド部材２１０は、読取面と対向する面に凹部４０が形成されるとともに、ガイド部材２１０を読取面に対して適宜の隙間を保つようにする付勢手段５０が設けられていることを特徴とする。    【選択図】  図１
2006186430.tif 000002
【特許請求の範囲】
【請求項１】
原稿に記載されたデータを読み取る読取手段を備えた本体部と、前記原稿を前記読取手段の読取面に搬送する搬送手段とを有し、
前記本体部と対向する位置には、前記原稿の浮き上がりを受けるガイド部材が設けられ、
前記ガイド部材は、前記読取面と対向する面に凹部が形成されるとともに、前記ガイド部材を前記読取面に対して適宜の隙間を保つようにする付勢手段が設けられていることを特徴とする画像読取装置。
【請求項２】
前記凹部は、シェーディング補正を行う時に光源の光を受けることを特徴とする請求項１記載の画像読取装置
【請求項３】
前記付勢手段には、前記付勢手段の付勢力を切り換える切換手段が設けられていることを特徴とする請求項１記載の画像読取装置。
【発明の詳細な説明】
【技術分野】
【０００１】
本発明は、普通紙、コート紙、フィルム等の原稿を読み取る画像読取装置に関するものであり、特に用紙搬送型の画像読取装置に関する。
【背景技術】
【０００２】
原稿読取装置の具体的な構成として特許文献１に開示されたものがある。この構成は、〔図１〕、〔図４〕、〔図５〕および〔図６〕に示すように、自重で原稿を読取面１６に加圧するようにシェーディング板４４を、揺動可能に支持する。
【０００３】
この構成の下、原稿が読取面１６を通過する時、原稿はシェーディング板４４の自重により加圧され、読取面１６に密着する。一方、厚手の原稿が読取面１６を通過する時、シェーディング板４４は、原稿からの押上力から逃げる方向に回転し、シェーディング板４４が押し上がった位置からシェーディング板４４の自重により加圧され、読取面１６に密着する。
【特許文献１】特開平５−９１２４３号公報（〔０００４〕から〔０００５〕、図１、図４、図５、図６）
【発明の開示】
【発明が解決しようとする課題】
【０００４】
しかし、上記構成は、原稿を読み取る時に、読取面１６と対向するシェーディング板４４の面が接触した状態となり、シェーディング板３３と対向する原稿の面に付着したゴミや埃等により、このシェーディング板４４の面に傷がつき、適正なシェーディング補正を行なうことができなくなる可能性が高く、原稿の適正な読み取りを行なうことができないおそれがあった。
【０００５】
また、読み込む原稿に折り目が付いていたり、腰が強く浮き上がった部分があったりする場合、シェーディング板４４の自重で、この折り目のエッジ部分や浮き上がり部分を押し潰すことができない。このため、読取面１６において、原稿は浮いた状態のままとなり、適正な読取を行なうことができないおそれがある。特に、折り目が搬送方向についている場合は、顕著となる。
【課題を解決するための手段】
【０００６】
上記問題を解決するために、本発明は、原稿に記載されたデータを読み取る読取手段を備えた本体部と、原稿を前記読取手段の読取面に搬送する搬送手段とを有し、本体部と対向する位置には、原稿の浮き上がりを受けるガイド部材が設けられ、ガイド部材は、読取面と対向する面に凹部が形成されるとともに、ガイド部材を読取面に対して適宜の隙間を保つようにする付勢手段が設けられていることを特徴とする。
【０００７】
また、請求項２においては、凹部は、シェーディング補正を行う時に光源の光を受けることを特徴とする。さらに、請求項３においては、付勢手段には、付勢手段の付勢力を切り換える切換手段が設けられていることを特徴とする。
【発明の効果】
【０００８】
本発明は、原稿に記載されたデータを読み取る読取手段を備えた本体部と、原稿を前記読取手段の読取面に搬送する搬送手段とを有し、本体部と対向する位置に、原稿の浮き上がりを受けるガイド部材を設け、ガイド部材には、読取面と対向する面に凹部を形成するとともに、ガイド部材を読取面に対して適宜の隙間を保つようにする付勢手段を設けることにより、原稿を読取部に搬送した時に、原稿に付着したゴミや埃等によって、読取部と対向するガイド部材の面に傷を付けることを防止し、原稿の自重を本体部側に作用させて、原稿を読取面に当接させ、適正な原稿の読み取りを行なうことができる。
【０００９】
また、請求項２では、凹部でシェーディング補正を行う時に光源の光を受ける構成とすることにより、凹部の面に傷をつけることはなく、適正なシェーディング補正を行なうことができる。さらに請求項３では、付勢手段の付勢力を切り換える切換手段を設けることにより、付勢手段を介して、原稿を浮き上がらせる力（付勢力）をガイド部材で受け、原稿の浮き上がりを防止し、適正な読取を行なうことができる。
【発明を実施するための最良の形態】
【００１０】
本発明の好適な実施の形態を図面に基づいて説明する。図1に、本発明の画像読取装置の概略図の一例を示す。この画像処理装置は、ＬＥＤプリンタ等の印字出力装置に接続可能なイメージスキャナとして適用したものを示す。もちろん、スキャナ部とプリンタ部が一体となった複写機においても適用される。
【００１１】
このイメージスキャナは、例えばＡ０サイズまでの大判用紙サイズの原稿を読み取り可能なスキャナであり、原稿Ｐに記載されたデータを読み取る本体部１０と、矢印ａ方向に持ち上げることが可能な上蓋２０と、原稿Ｐを搬送する搬送手段３０とにより構成される。なお、原稿Ｐに記載されたデータとは、イメージや文字、またはこれらが含まれたものをさす。
【００１２】
本体部１０は、読取手段１１０と、読取手段１１０を挟むように配設された送りローラ１２０ａと搬送ローラ１２０ｂとからなる。読取手段１１０は、縮小光学系であり、第１ミラー１１１と、第２ミラー１１２と、第３ミラー１１３と、反射板Ｒと、投撮レンズ１１５と、撮像素子（Ｌ１、Ｌ２、Ｌ３・・・）がライン状に配設されたイメージセンサ１１９と、光源１１６と、固定台１１４とからなる。
【００１３】
固定台１１４には、原稿に反射させた光源１１６の光をイメージセンサに到達させるために、第１ミラー１１１、第２ミラー１１２、第３ミラー１１３が所定の角度を持って配置されている。このようなミラーの配置により、光源１１６の光の経路を折り曲げて装置の小型化を図っている。
【００１４】
このような構成により、原稿に反射させた光源１１６の光は、第１ミラー１１１、第２ミラー１１２、第３ミラー１１３を介して、投撮レンズ１１５で集光し、イメージセンサ１１９で読み込まれる。
【００１５】
なお、この実施の形態において、読取手段１１０は、縮小光学系であるが、これに限定されることはなく、図２に示すように、赤色フィルタ付センサ１２１と、緑色フィルタ付センサ１２２と、青色フィルタ付センサ１２３と、固定台１１４と、レンズ１１５と、光源１１６とにより構成してもよい。
【００１６】
また、この構成において、赤色フィルタ付ラインセンサ１２１、緑色フィルタ付ラインセンサ１２２および青色フィルタ付ラインセンサ１２３は、固定台１１４により取り付けられている。さらに、各センサは、レンズ１１５により集光された光源１１６によって照射された原稿Ｐの反射を、コンタクトガラス１１７を透して読み取る複数の半導体センサ素子がライン状に配設されている。
【００１７】
上蓋２０は、原稿挿入側から前部押えローラ２２０、ガイド部材２１０および後部押えローラ２３０がこの順番で配設されている。上蓋２０の原稿挿入側には把持部２４０が設けられ、さらに、これと反対側の後端部２１が本体部１０に軸支されている。これにより、上蓋２０は、把持部２４０を矢印ａ方向に持ち上げることにより、コンタクトガラス１１７等の読取面を開放することができる。また、原稿Ｐの先端が最初に到達するガイド部材２１０側には、規制部１１８が配置されている。規制部１１８は、一端がコンタクトガラス１１７側に傾いて、上蓋２０に取り付けられている。
【００１８】
また、上蓋２０を元の位置に復帰させた時（図１の状態）に、原稿挿入側に配置された前部押えローラ２２０は送りローラ１２０ａと対向する位置に取り付けられ、原稿排出側に配置された後部押えローラ２３０は搬送ローラ１２０ｂと対向する位置に取り付けられている。
【００１９】
送りローラ１２０ａは、前部押えローラ２２０に接した状態で回転させることにより、挿入された原稿Ｐをコンタクトガラス１１７上、すなわち読み取り位置（読取面）に搬送するローラである。これら、送りローラ１２０ａと前部押えローラ２２０、後部押えローラ２３０と搬送ローラ１２０ｂにより搬送手段３０が構成される。
【００２０】
ガイド部材２１０は、読取面に搬送された原稿Ｐの浮き上がりを防止するものであり、コンタクトガラス１１７の真上から覆うように、設けられている。
【００２１】
また、具体的に、ガイド部材２１０は、白色の薄板材を組み合わせたもの、または一体形成したものであり原稿Ｐの先端が最初に到達するガイド部材２１０部位には、スムーズに読取面へ搬送できるように周面が円弧状に形成された導入部２１１が設けられている。
【００２２】
さらに、コンタクトガラス１１７と対向するガイド部材２１０の面には、凹部４０が形成されている。凹部４０は、シェーディング補正を行なう時に光源１１６から照射された光を受ける。凹部４０の凹み部分以外の平面部２１２は、コンタクトガラス１１７に対して所定の間隔を保って配置されている。なお、コンタクトガラス１１７と平面部２１２との間隔は、読み込む原稿Ｐの厚さと略同一となるように設定されている。
【００２３】
また、ガイド部材２１０には、付勢手段５０が設けられている。付勢手段５０は、コンタクトガラス１１７と平面部２１２との間が一定の間隔となるように、バネ等によりガイド部材２１０をコンタクトガラス１１７側に付勢させ、原稿挿入側から搬送されてきた原稿Ｐの浮き上がり力を防止するものである。また、付勢手段５０は、原稿Ｐの特性によって、付勢手段５０の付勢力を調整する調整手段６０が設けられている。
【００２４】
この調整手段６０は、取付板（図示せず）に取り付けられたレバー６０を操作することにより、図示しない調整機構を介して、段階的に付勢手段５０の付勢力を切り換えるようになっている。なお、先に述べた原稿Ｐの特性とは、例えば、原稿のサイズ（長尺、不定形、定形等）、原稿の材質（普通紙、コート紙、光沢紙等）、厚さおよび原稿の折り曲げの有無等がある。
【００２５】
次に、本発明の画像読取装置の作用について説明する。先ず、原稿Ｐを原挿入側にセットする前に、通常に原稿Ｐを読み込む場合には、上蓋２０を開けて、図３に示すようにレバー６０を操作する。
【００２６】
これは、後に述べるが、原稿Ｐの先端がガイド部材２１０に進入し、原稿Ｐの先端がガイド部材２１０の導入部２１１に突き当たった時、その付勢力を付勢手段５０で吸収して、読取部側へスムーズに移動することができるようにするためである。この後、上蓋２０を閉じて、原稿Ｐを原稿挿入側にセットし、原稿Ｐの搬送を開始する。
【００２７】
図４（ａ）に示すように、原稿Ｐの先端が上（上蓋２０側）に反った状態でガイド部材２１０側に搬送されてくると、規制部１１８により、原稿Ｐの先端は、コンタクトガラス１１７側に向くように規制される。さらに、原稿Ｐを繰り出すと、図４（ｂ）に示すように、原稿Ｐの先端は、ガイド部材２１０の導入部２１１に突き当たる。
【００２８】
この時、ガイド部材２１０は、原稿Ｐの先端部位に作用する付勢力を受け、原稿Ｐの先端をコンタクトガラス１１７側に向くようにガイドされ、原稿Ｐの先端部位の浮き上がりが防止される。これと同時に、原稿Ｐの先端部位は、自重によりコンタクトガラス１１７に対し、当接するようになる。この後、原稿Ｐは、搬送手段３０により、原稿Ｐの先端が凹部４０に接することなく、順次、読取面に搬送され、原稿Ｐに記載されたデータを読み取る。
【００２９】
また、原稿Ｐの先端がコンタクトガラス１１７側に向かなくとも、規制部１１８および導入部２１１により、原稿Ｐの反り上がり部分は規制される。図５に示すように原稿Ｐの反り上がり部分（突出量）は、原稿Ｐの読み取りに影響を与えないほどごく僅かとなる。
【００３０】
さらに、この状態において、原稿Ｐの先端は、平面部２１２の下面に僅かにこする程度で、殆ど接することはない。したがって、平板部の下面よりも入り込んでいる凹部４０は、原稿Ｐの先端は接することはない。この結果、原稿Ｐの先端が反り上がった状態で、原稿Ｐが読取部に搬送されたとしても、凹部４０に接することはなく、凹部４０に傷が付くことが防止され、適正なシェーディング補正を行なうことができる。
【００３１】
次に、折り目が入った原稿Ｐを読み込む場合について説明する。折り目が入った原稿Ｐを読み込む場合は、図６に示すようにレバー６０を操作して、付勢手段５０の付勢力を強くする。これは、付勢手段５０の付勢力を通常の原稿Ｐで設定した場合、次のようなことが生じる。
【００３２】
通常の原稿Ｐの読み込みで述べたように、原稿Ｐの先端がガイド部材２１０に進入させ、原稿Ｐの先端がガイド部材２１０の導入部２１１に突き当て、その付勢力を付勢手段５０で吸収して、読取部側へスムーズに移動する。さらに、原稿Ｐの搬送を続けると、原稿Ｐを折った部分が移動してくる。
【００３３】
この原稿Ｐが折られた突出部分、すなわちエッジ部分に付勢力が集中するため、先に述べた浮き上がり部分の付勢力よりも、付勢力が強くなる。この状態で、ガイド部材２１０の導入部２１１に突き当たると、通常の原稿Ｐで設定された付勢手段５０の付勢力は、エッジ部分に付勢力に打ち負け、ガイド部材２１０は、上蓋２０側にシフトする。
【００３４】
この結果、規制部１１８と打ち負かされた付勢手段５０の付勢力とにより、原稿Ｐのエッジ部分の突出量を抑えたとしても、エッジ部分をコンタクトガラス１１７に当接することはできず、図７に示すように、エッジ部分に光を投射した部分の光の像は、各撮造素子Ｃ１、Ｃ２、Ｃ３・・・（図においてはＣＣＤ）間において、破線で示すようにずれが生じ、途切れた状態で読み込まれる。
【００３５】
また、図２に示すような、赤色フィルタ付センサ１２１と、緑フィルタ付センサ１２２と、青フィルタ付センサ１２３と、固定台１１４と、レンズ１１５と、光源１１６で構成したものでは、原稿Ｐのエッジ（折り曲げ）部分近傍は、読み取りを行なうとぼやけてしまい、正確に原稿Ｐを読み取ることができない。この図７において、原稿は手前側に向かって搬送する。
【００３６】
このため、折り目が入った原稿Ｐを読み込む場合は、原稿Ｐの折り目を読み込むことができるようにするため、付勢手段５０の付勢力を強くする。図８（ａ）に示すように、付勢手段５０の付勢力を設定した後、上蓋２０を閉じて、原稿Ｐを原稿挿入側にセットし、原稿Ｐの搬送を開始する。
【００３７】
この後、図８（ｂ）に示すように、原稿Ｐが上蓋２０側に折った状態でガイド部材２１０側に搬送されてくると、規制部１１８により、原稿Ｐの折り曲げ部分は潰され、折り曲げ部分の突出量が小さくなる。さらに、原稿Ｐを繰り出すと、原稿Ｐの先端はガイド部材２１０の導入部２１１に突き当たる。
【００３８】
この時、付勢手段５０の付勢力は、原稿Ｐのエッジ（折り曲げ）部分に生じる付勢力に打ち勝ち、付勢手段５０の付勢力によって、ガイド部材２１０は、導入部２１１を介して、原稿Ｐのエッジ（折り曲げ）部分を押さえ付け、さらに原稿Ｐのエッジ（折り曲げ）部分が潰され、図８（ｃ）コンタクトガラス１１７に当接した状態となる。
【００３９】
この状態で原稿Ｐは、搬送手段３０により徐々に読取面側に移動する。この間、光源１１６が照射される平面部２１２の部分は凹部４０に形成されているため、原稿Ｐのエッジ（折り曲げ）部分は、凹部４０に当接しない状態で移動する。この結果、シェーディング補正を行なう時に光源１１６から照射された光を受ける平面部２１２の部分に傷をつけることなく、原稿Ｐの読み取りを行なうことができる。
【００４０】
なお、この実施の形態において、原稿Ｐが折られている場合に、付勢手段５０の付勢力を通常よりも強い付勢力に切り換えているが、これに限定されることはなく、腰の強い原稿Ｐを読み込む場合など、原稿Ｐの付勢力が強くガイド部材２１０で押さえ込むことができない場合に、適用しても良い。
【００４１】
また、先に述べた説明で、原稿は搬送方向に向かって上方に折り曲がっていたが、下方に折り曲がったものであっても同様の効果が得られる。さらに、搬送方向に対し垂直方向に浮き上がりが生じたものであっても、同じ効果を得られる。
【００４２】
以上のように、ガイド部材２１０に、読取面と対向する面に凹部４０を形成し、さらに、ガイド部材２１０に原稿Ｐの浮き上がり力を受ける付勢手段５０を設け、付勢手段５０の付勢力により、ガイド部材２１０を読取面に対して適宜の隙間を保つようにすることにより、原稿Ｐを読取部に搬送した時に、原稿Ｐに付着したゴミや埃等によって、読取部と対向するガイド部材２１０の面（凹部４０）に傷を付けることが防止される。
【図面の簡単な説明】
【００４３】
【図１】本発明の画像読取装置の断面概略図。
【図２】読取手段の他の実施例を示す図。
【図３】付勢手段の付勢力を調整手段（レバー）により調整する図。
【図４】原稿の搬送状態を示す図であり、（ａ）は上方に沿った原稿がコンタクトガラス側に搬送されている状態であり、（ｂ）はこの原稿がガイド部材に突き当たり、原稿の先端部位が矯正される図である。
【図５】原稿の先端が図５に状態から読取面に搬送される状態を示す要部拡大図。
【図６】図２の状態から調整手段（レバー）を操作して付勢手段の付勢力を切り換える図。
【図７】折り曲げた原稿が読み取られ、イメージセンサの撮像素子に検出された状態を示す図。
【図８】（ａ）は折り曲げた原稿を読取面に搬送する説明をするための概略図であり、（ｂ）は断面Ａ_Ａから見た図であり、（ｃ）は断面Ｂ_Ｂから見た図である
【符号の説明】
【００４４】
１０  本体部
２０  上蓋
３０  搬送手段
４０  凹部
５０  付勢手段
６０  調整手段
Ｐ    原稿
【図１】
2006186430.tif 000003
【図２】
2006186430.tif 000004
【図３】
2006186430.tif 000005
【図４】
2006186430.tif 000006
【図５】
2006186430.tif 000007
【図６】
2006186430.tif 000008
【図７】
2006186430.tif 000009
【図８】
2006186430.tif 000010